(57)【要約】【課題】高さが低く香炉の高さや幅が規制されている芝墓地に好適で、狭い墓前用収納箱の内側に設置されている灰皿や鈴などの収納物を、扉を開けると同時に手前側に引出せる墓前用香炉を提供するものである。【解決手段】石材で形成され、前面開口部に左右の扉２Ａ、２Ｂを取付けた収納箱１の、前記左右の扉２Ａ、２Ｂを閉じた状態で平板状となるように、一方の扉２Ａを前面Ｌ字形に形成し、他方の扉２Ｂを前面逆Ｌ字形に形成して、一方の扉２Ａの背面下部側に第１の支持板６Ａを水平に突設し、他方の扉２Ｂの背面に、前記第１の支持板６Ａの上方に位置して段違いに第２の支持板６Ｂを水平に突設し、前記第１の支持板６Ａの上に灰皿１５を取付けると共に、第２の支持板６Ｂの上に鈴２４を取付けたことを特徴とするものである。【選択図】    図４
2005009168.tif 000002
【特許請求の範囲】
【請求項１】
石材で形成され、前面開口部に左右に開く扉を取付けた収納箱の、前記左右の扉を閉じた状態で平板状となるように、一方の扉を前面Ｌ字形に形成し、他方の扉を前面逆Ｌ字形に形成して、一方の扉の背面下部側に第１の支持板を水平に突設し、他方の扉の背面に、前記第１の支持板の上方に位置して段違いに第２の支持板を水平に突設し、前記第１の支持板の上に灰皿を取付けると共に、第２の支持板の上に鈴を取付けたことを特徴とする墓前用香炉。
【請求項２】
収納箱の前面開口部に開閉自在に取付けた左右の扉の回転中心に樹脂で形成した軸受を、その底面から上下方向に形成し、収納箱の底板から上方に突設した軸を挿着して、左右の扉を開閉自在に軸支したことを特徴とする請求項１記載の墓前用香炉。
【請求項３】
第１の支持板に軸受を形成し、灰皿の底面に軸を突設して、この軸を前記軸受に着脱自在に挿着すると共に、灰皿を回転自在に支持したことを特徴とする請求項１記載の墓前用香炉。
【請求項４】
第２の支持板に軸受を形成し、鈴を鈴支持板に固定し、この鈴支持板の底面に軸を突設して、この軸を前記軸受に挿着して鈴を回転自在に支持したことを特徴とする請求項１記載の墓前用香炉。
【請求項５】
請求項１において、第１の支持板に取付けた灰皿に隣接して、更に第１の支持板にろうそく立を取付けたことを特徴とする墓前用香炉。
【発明の詳細な説明】
【０００１】
【発明の属する技術分野】
本発明は内側に収納した灰皿や鈴などの収納物をワンタッチで引き出せる墓前用香炉に関するものである。
【０００２】
【従来の技術】
一般に墓前に設置されている香炉は、前面を開口した筒状石材で形成され、この内側底面に線香台を形成したものや、ここに金属板で成形した灰皿を置いたものなどがある。
【０００３】
このように従来の香炉は、前面を開口した筒状に形成されているので、火の付いたままの線香をそのままにしておくと、風で飛んで火災の原因になることがある。また露出したままとなるので、灰が飛散したり、塵やごみ、落ち葉などが入り込んで汚れる問題があった。
【０００４】
このため本発明者は、石材で形成され、前面開口部に左右に開閉する扉を設け、内側に香炉台を設けた墓前用収納箱を先に開発した（例えば特許文献１参照）。この墓前用収納箱は灰皿が内部の香炉台の上に設置されており、線香を灰皿に載せる時に、灰皿を手前側に引出せるようになっている。また焼香を終えて帰る時に前面の扉を閉めることができるので、火災を防止できると共に、内部の汚れを防止することができる利点がある。
【０００５】
しかしながらこの灰皿は、狭い収納箱の内側に設けた香炉台の上に設置されているので、高さが高くなり、幅が長くなるが、芝墓地のように香炉の高さや幅が規制されている墓地では設置することができなかった。また灰皿を手前側に引出せるようになっているが、収納箱の開口部付近までであり線香を載せにくい問題があった。
【０００６】
【特許文献１】
特開２００３ー１３８７８７（図１、図３、図８）
【０００７】
【発明が解決しようとする課題】
本発明は上記問題を改善し、高さが低く香炉の高さや幅が規制されている芝墓地に好適で、狭い墓前用収納箱の内側に設置されている灰皿や鈴などの収納物を、扉を開けると同時に手前側に引出せる墓前用香炉を提供するものである。
【０００８】
【課題を解決するための手段】
本発明の請求項１記載の墓前用香炉は、石材で形成され、前面開口部に左右に開く扉を取付けた収納箱の、前記左右の扉を閉じた状態で平板状となるように、一方の扉を前面Ｌ字形に形成し、他方の扉を前面逆Ｌ字形に形成して、一方の扉の背面下部側に第１の支持板を水平に突設し、他方の扉の背面に、前記第１の支持板の上方に位置して段違いに第２の支持板を水平に突設し、前記第１の支持板の上に灰皿を取付けると共に、第２の支持板の上に鈴を取付けたことを特徴とするものである。
【０００９】
本発明の請求項２記載の墓前用香炉は、収納箱の前面開口部に開閉自在に取付けた左右の扉の回転中心に樹脂で形成した軸受を、その底面から上下方向に形成し、収納箱の底板から上方に突設した軸を挿着して、左右の扉を開閉自在に軸支したことを特徴とするものである。請求項３記載の墓前用香炉は、第１の支持板に軸受を形成し、灰皿の底面に軸を突設して、この軸を前記軸受に着脱自在に挿着すると共に、灰皿を回転自在に支持したことを特徴とするものである。
【００１０】
また請求項４記載の墓前用香炉は、第２の支持板に軸受を形成し、鈴を鈴支持板に固定し、この鈴支持板の底面に軸を突設して、この軸を前記軸受に挿着して鈴を回転自在に支持したことを特徴とするものである。更に請求項５記載の墓前用香炉は、第１の支持板に取付けた灰皿に隣接して、更に第１の支持板にろうそく立を取付けたことを特徴とするものである。
【００１１】
【発明の実施の形態】
以下本発明の実施の一形態を図１ないし図６を参照して詳細に説明する。図１は墓前用香炉の、石材で形成された収納箱１の前面開口部に取付けた左右の扉２Ａ、２Ｂを閉じた状態を示すものである。図中左側の扉２Ａは石材で前面Ｌ字形に形成し、右側の扉２Ｂは前面逆Ｌ字形に形成して、前記左右の扉２Ａ、２Ｂを閉じた状態で平板状となるように形成されている。左右の扉２Ａ、２Ｂの前面の合わせ部分の両側には取っ手３Ａ、３Ｂが突設され、取っ手３Ａに回動自在に取付けたフック４により連結してロックされるようになっている。
【００１２】
左側の扉２Ａの背面下部側には、図２に示すように第１の支持板６Ａが、背面側に向かって水平に突設されている。この第１の支持板６Ａには、軸受７とリング状凹溝８が形成されている。また前面逆Ｌ字形に形成されている右側の扉２Ｂの背面には、前記第１の支持板６Ａの上方に位置して段違いに第２の支持板６Ｂが水平に突設されている。この第２の支持板６Ｂにも軸受９が形成されている。
【００１３】
また左右の扉２Ａ、２Ｂは図５および図６に示すように平面Ｌ字形に形成差れ、この回転中心に、底面から上下方向に樹脂を流し込み成型した軸受１３、１３が設けられ、ここに底板１１から上方に突設した支持軸１２、１２が挿着されて開閉自在に支持されている。前記左側の扉２Ａの背面に突設された第１の支持板６Ａには、図３に示すように金属板を深絞り加工して、長方形の皿状に形成し、この内側に金網１４を設けた灰皿１５が取付けられている。この灰皿１５は、図６に示すように底面に軸１６が突設され、この軸１６は、第１の支持板６Ａに形成した軸受７に回転自在に挿着されている。
【００１４】
また１８はろうそく立で、円筒状ガラスで形成された風除けカバー１９の側面にスリット２０を形成し、このスリット２０を通して水平に取付けた可動棒２１の一端にろうそく受け皿部２２を設けて、風除けカバー１９の内側に配置すると共に、風除けカバー１９の外側に突出した可動棒２１の他端にストッパー２３を設けて、ろうそく受け皿部２２を上下動自在に支持したものである。このろうそく立８は、風除けカバー１９の下部が、前記第１の支持板６Ａに形成したリング状凹溝８に回転自在に挿着されている。
【００１５】
また２４は鈴で、これは鈴支持板２５の上面に固定され、更に鈴２４の横の鈴支持板２５の上面には鈴棒２６が取付けられている。この鈴支持板２５の底面には、図５および図６に示すように、軸２７が突設され、この軸２７は、第２の支持板６Ｂに形成した軸受９に回転自在に挿着されている。
【００１６】
上記構成の墓前用香炉は、左右の扉２Ａ、２Ｂを閉じた収納状態では、図５および図６に示すように、左側の扉２Ａの背面に突設した第１の支持板６Ａに、灰皿１５とろうそく立１８が取付けられている。また右側の扉２Ｂの背面の前記灰皿１５の上方に段違いに突設された第２の支持板６Ｂには、鈴支持板２５に取付けた鈴２４が設けられ、灰皿１５の上に鈴２４を重ねた状態で収納している。
【００１７】
墓参して焼香する時には図１に示すように、前面Ｌ字形に形成された左側の扉２Ａと、前面逆Ｌ字形に形成された右側の扉２Ｂが閉じて平板状に組み合わされている。先ず左右の扉２Ａ、２Ｂを連結してロックしているフック４を回動して外してから左右の扉２Ａ、２Ｂを開くと、図３に示すように左側の扉２Ａの裏面に取付けた灰皿１５とろうそく立１８が前面に出てくる。また右側の扉２Ｂの背面に取付けた鈴２４も同様に前面に出てくる。
【００１８】
灰皿１５は、その底面に突設した軸１６が軸受７に支持されているので図４に示すように手前に回動させて収納箱１と平行に配置する。また鈴支持板２５もその底面に突設した軸２７が軸受９に支持されているので鈴２４を持って回動させて手前に引出す。
【００１９】
次に図４に示すように、ろうそく立１８の可動棒２１に取付けたストッパー２３を指でつまんでろうそく受け皿部２２を引上げ、ここにろうそく２８を立てて点火してから、風除けカバー１９の内側に下げる。
【００２０】
この後、線香を手に持って、ろうそく２９の炎で点火してから、灰皿１５の金網１４の上に載せ、鈴支持板２５に取付けた鈴棒２６を手に持って鈴２４を鳴らして合掌する。なお灰皿１５に溜った灰を捨てる場合は、灰皿１５を軸受７から引き抜くだけで簡単に取外すことができる。
【００２１】
墓参が終わって帰る時には、ろうそく２９の炎を消し、左右の扉２Ａ、２Ｂを閉じてストッパー２３でロックすれば、線香に火が付いたままでも飛散による火災を防止することができる。
【００２２】
なお灰皿１５、鈴２４およびろうそく立１８の構造は上記構成に限らず他の構造でも良い。また上記説明では第１の支持板６Ａにろうそく立１８を並設した場合について示したが、灰皿１５だけ取付けた構造でも良い。
【００２３】
【発明の効果】
以上説明した如く本発明に係る請求項１記載の墓前用香炉によれば、前面Ｌ字形に形成した一方の扉の背面下部側に突設した第１の支持板に灰皿を取付け、前面逆Ｌ字形に形成した扉の背面に、段違いに突設した第２の支持板の上に鈴を取付けたので、収納箱のを低く幅を小さく形成でき、高さや幅が規制されている芝墓地に好適である。更に狭い収納箱の内側に設置されている灰皿や鈴などを、扉を開けると同時にワンタッチで手前側に引出せるので、使用する上で便利である。
【００２４】
また請求項２記載の墓前用香炉によれば、左右の扉の回転中心に樹脂で形成した軸受を上下方向に形成し、収納箱の底板から上方に突設した軸を挿着して、左右の扉が開閉自在に軸支されているので、樹脂注入前の軸受孔の位置が多少ずれていても、正確な位置に軸受を形成することができると共に、開閉を滑らかに行なうことができる。
【００２５】
また請求項３記載の墓前用香炉によれば、第１の支持板に軸受を形成し、灰皿の底面に軸を突設して、この軸を前記軸受に挿着して灰皿を回転自在に支持したので、扉を開いてから、灰皿の位置を調整することができると共に、取外して灰を捨てるのが容易である。
【００２６】
また請求項４記載の墓前用香炉によれば、第２の支持板に軸受を形成し、鈴を鈴支持板に固定し、この鈴支持板を回転自在に支持したので、扉を開いてから、鈴の位置を調整することができる。
【００２７】
また請求項５記載の墓前用香炉によれば、第１の支持板に取付けた灰皿に隣接して、更に第１の支持板にろうそく立を取付けたので、墓前でろうそくを立てることができる。
【図面の簡単な説明】
【図１】本発明の実施の一形態による扉を閉じた状態の墓前用香炉を示す斜視図である。
【図２】扉を開いて灰皿とろうそく立、鈴を外した状態を示す墓前用香炉の斜視図である。
【図３】扉を開いた状態を示す墓前用香炉の斜視図である。
【図４】扉を開いて灰皿を回転させた状態を示す墓前用香炉の斜視図である。
【図５】図１の墓前用香炉を示す水平断面図である。
【図６】図５のＩーＩ線断面図である。
【符号の説明】
１            収納箱
２Ａ        左側の扉
２Ｂ        右側の扉
６Ａ        第１の支持板
６Ｂ        第２の支持板
７            軸受
８            リング状凹溝
９            軸受
１２        支持軸
１３        軸受
１４        金網
１５        灰皿
１６        軸
１８        ろうそく立
１９        風除けカバー
２２        ろうそく受け皿部
２３        ストッパー
２５        鈴支持板
２６        鈴棒
２７        軸
２８        ろうそく
【図１】
2005009168.tif 000003
【図２】
2005009168.tif 000004
【図３】
2005009168.tif 000005
【図４】
2005009168.tif 000006
【図５】
2005009168.tif 000007
【図６】
2005009168.tif 000008